(57)【要約】【課題】間欠録画された映像の更新速度をユーザの要求に適したように変更すること。【解決手段】ユーザが間欠記録された映像を時系列的に再生して内容をチェックしているときに、更新速度を早くするための操作したときには、今表示している画像を次の画像へ更新するための画像更新タイマーのタイムアップに関わらず即座に画像を更新すると共に画像更新タイマーの時間を短くするように制御する。また、更新速度を遅くしようと操作したときには画像を更新することなく画像更新タイマーの時間を長くするように制御する。【選択図】    図７
2004165722.tif 000002
【特許請求の範囲】
【請求項１】
カメラからの映像信号を間欠的に記録媒体に記録し、該記録媒体に記録された映像信号を再生する記録再生装置において、
前記記録媒体に間欠記録された映像信号を時系列的に再生する時系列再生手段と、
時系列再生時に次の映像を更新するまでの時間を変更する更新間隔変更手段と、
を備え、
前記時系列再生手段によって映像信号が再生されている場合に更新間隔を短くする操作がされたとき、再生間隔を短くするとともに次の映像に更新するとともに、
前記時系列再生手段によって映像信号が再生されている場合に更新間隔を長くする操作がされたときには、次の映像に更新しないまま再生間隔のみを長くすることを特徴とする記録再生装置。
【請求項２】
前記更新間隔を変更するときは、前記記録再生装置を操作するためのジョグダイヤルによって行うことを特徴とする請求項１記載の記録再生装置。
【発明の詳細な説明】
【０００１】
【発明の属する技術分野】
この発明は、記録再生システムに関し、特に例えば監視システムに適用され、間欠的に記録された映像を再生する際、再生スピードの変更に関するものである。
【０００２】
【従来の技術】
以下、従来例について説明する。監視カメラからの映像信号を間欠的にハードディスクに記録し、記録された映像信号を再生して表示する記録再生装置であるハードディスクデコーダを従来例として説明する。
【０００３】
図１はハードディスクレコーダ（１０）のフロント部分を表示した図であり、図２はハードディスクレコーダ（１０）とその周辺機器であるカメラ（１）及びモニター（９）を示したシステム構成図であり、図３はハードディスク（４）に記録される際のデータ内容を示したものであり、図４は再生時の待ち時間変更を示したタイミングチャートであり、図５は再生時の待ち（更新）時間変更を示したフローチャートである。
【０００４】
図１に示すように、ハードディスクレコーダ（１０）のフロント部分には、記録形式等を決定するために操作される操作ボタン（８ａ）や再生画面の再生状態を変更するためのジョグシャトル（８ｂ）が設けられている。
【０００５】
図２に示すように、１はカメラであって、被写体を撮影してハードディスクレコーダ（１０）へ送信する。２は、カメラ（１）からの映像信号をＡ／Ｄ変換すると共にＪＰＥＧ形式に圧縮してする。３はバスであって映像信号やＣＰＵ（６）の命令を伝達するものである。４はハードディスクであってビデオレコーダ（２）で圧縮されたデジタル信号を記録・再生するものである。５はビデオエンコーダであって、圧縮されたデジタル映像信号を伸張すると共にＤ／Ａ変換してアナログ映像信号として出力するものである。６はＣＰＵであって、各ブロック（２，４，５等）に指示を行うものである。８はハードディスクレコーダ（１０）に設けられた操作用ボタン（図１で示している操作ボタン及びジョグシャトル）であり、該操作ボタンで指示された内容は操作キー取り込みようサブマイコン（７）で処理され、ＣＰＵ（６）へ伝えられる。９はモニターであって、ビデオエンコーダ（２）でアナログ信号とされた映像信号を表示するものである。
【０００６】
カメラ（１）からの映像信号は、ビデオデコーダ（２）によってＪＰＥＧ画像に変更され、間欠的にハードディスク（４）に記録される。間欠的に記録される間隔はユーザがフロントスイッチ群（８）によって設定し、例えば１秒間に１枚とか１０枚とかに設定される。この時、１秒間の記録枚数が多いほど高画質（リフレッシュレートが高い）な映像となる。
【０００７】
図３は、ビデオデコーダ（２）でＪＰＥＧ形式に変更された画像がハードディスク（４）に記録された際のデータ形式を示したものである。図３（Ａ）に示しているようにフィールドデータとして、ＪＰＥＧデータは管理情報と共にハードディスク（４）に記録される。この管理情報には撮影された日付、ＪＰＥＧサイズ、待ち時間等が含まれ、この待ち時間が間欠記録される際の次の映像の取り込み時間を示している。即ち１秒間に１０枚と記録間隔時間が設定されていると、この値は０．１となる。また、図３（Ｂ）に示すようにフィールドデータを管理するためのＴＡＧデータが有り、該ＴＡＧデータによって管理情報及びＪＰＥＧデータのアドレスが管理される。このようにして、ハードディスク（４）に記録されたＪＥＰＧ画像が管理される。また、ＴＡＧデータはＪＰＥＧ画像がハードディスク（４）に記録される毎付加され、その１つのＴＡＧデータ量は一定である。
【０００８】
次に、再生動作について説明する。再生動作に関しては、ハードディスク（４）上にＴＡＧデータが時系列的に並んでおり、そのＴＡＧデータの順番に対応するＪＰＥＧデータをハードディスク（４）から取り出してビデオエンコーダ（５）でアラログ信号に変換することにより時系列的に再生することが出来る。さらに各ＴＡＧに対応するフィールドデータの管理情報から待ち時間を取り出して次の画像を切り換える速度を設定することが出来る。
【０００９】
以上のようにして、ハードディスク（４）に記録された画像を記録時の記録間隔と同一の間隔で次の映像を切り換えて（更新して）再生することが出来る。よって、記録時間と再生時間は同一の時間となる。すなわち、例えば５時間の間に撮影され記録された映像を再生するときは、同じ５時間が必要となる。
【００１０】
映像記録再生機器においては、記録速度と再生速度と同じ速度とするのが一般的である。しかし、かかる映像記録再生機器のうち、監視用に用いられている記録再生装置には長時間記録に対応するため、間欠記録機能を備え、その記録間隔が長く設定され記録された映像をそのまま再生すると、再生時の映像更新も長くなってしまう。そこで、使用者は次の映像を切り換える間隔を短く（更新速度を早くする）して、記録された映像を早くチェックしたい場合がある。一方、じっくりと記録された映像をチェックする場合には映像を切り換える速度を遅くする。かかる場合、切り換える（更新）速度を変更するには、上述の待ち時間（更新時間）を操作ボタン（８）を用いて行っていた。その待ち時間変更について図４のタイミングチャートを用いて説明する。図４（Ａ）に示すように、再生時の画像切換（更新）間隔が３０秒であり、正方向に再生されているときであって、画像が更新された後１２．５秒後にユーザが画像切換間隔を１０秒間隔に変更したいとする。画像切換間隔の変更はジョグシャトル（８ｂ）のジョグダイヤルを右に回すことによって行う。この時、ジョグダイヤルを右に１クリックすると５秒画像切換速度が速くなる。図４（Ａ）では、画像切換が１２．５秒後に最初のジョグダイヤルが１クリックされ、その１０秒後に１クリック、その次の１０秒後に１クリック、更にその１０秒後に１クリックされたとする。そのクリック後の画像切換状態を示したのが図４（Ｂ）である。１２．５秒後の最初のクリックで画面切換間隔の待ち時間が２５秒に変更され、さらにその１０秒後に１クリックされ、待ち時間が２０秒に変更される。この時最初の切換時間からすでに２２．５秒経過しており、待ち時間の２０秒が経過しているためいるため、画面が切り換えられる。さらにその１０秒後に１クリックされ待ち時間が１５秒となるため画２の切換から１５秒後に画像が切り換えられ、この時の待ち時間は１５秒である。更に画３に切り換わった後５秒後に１クリックされ、待ち時間は１０秒となる。そして、画３に切り換えられた後１０秒後に次の画像に切り換えられ、その後１０秒毎に新たな画像が切り換えられるようになる。図５が正方向、逆方向（逆転方向）を含めた画像の切換を示したフローチャートである。ステップ１でジョグダイヤルの入力があると、ステップ２でジョグが右方向に回されたか左方向に回されたか判断され、左方向のときはステップ３で再生方向が正方向か逆方向か判断される。逆方向の再生であればステップ４の画像に更新速度（切換速度）を早くして、変更処理を終了する。ステップ３で再生方向が正方向な場合、ステップ５で画像の更新速度を遅くして、変更処理を終了する。ステップ２でジョグが右方向であるとステップ６で再生方向が判断される。再生方向が逆方向であると、ステップ７で画像の更新速度を遅くし、ステップ６で再生方向が正方向であれば、ステップ８で画像の更新速度を早くして、変更処理を終了する。
【００１１】
【発明が解決しようとする課題】
再生時に、ユーザが画像の更新速度を大きくしたいと場合には、操作ボタンで待ち時間を短くするように変更するが、実際には待ち時間を短く設定することは早く画像を更新したい要求であるにもかかわらず画像はすぐには更新されず、元の待ち時間から変更されて短くなった時間が経過した後に更新されてしまい、ユーザの要求が満たされない。
【００１２】
【課題を解決するための手段】
請求項１の発明は、カメラからの映像信号を間欠的に記録媒体に記録し、該記録媒体に記録された映像信号を再生する記録再生装置において、前記記録媒体に間欠記録された映像信号を時系列的に再生する時系列再生手段と、時系列再生時に次の映像を更新するまでの時間を変更する更新間隔変更手段とを備え、前記時系列再生手段によって映像信号が再生されている場合に更新間隔を短くする操作がされたとき、再生間隔を短くするとともに次の映像に更新するとともに、前記時系列再生手段によって映像信号が再生されている場合に更新間隔を長くする操作がされたときには、次の映像に更新しないまま再生間隔のみを長くする構成とする。
【００１３】
請求項２の発明は、前記更新間隔を変更するときは、前記記録再生装置を操作するためのジョグダイヤルによって行う構成とする。
【００１４】
【発明の実施の形態】
以下、本発明の一実施例について説明する。図６は本実施例の画像切換間隔を変更する動作を示したタイムチャートであり、図７は本実施例の画像切換間隔を変更する動作を示したフォローチャートである。尚、ハードディスクレコーダ（１０）の構成は従来例と同じであり、画像切換の制御のみ変更するものである。
【００１５】
従来例で示したように画像更新を早くしたい場合、ユーザは操作キーを利用して、画像更新（切換）速度を速めるように操作する。その際、画像更新速度を上げたいという動作は次の画像に切り換えたいという要求であるため、画像更新時間（待ち時間）を短くすると同時に、次の画像への切換を実行させる。また、画像更新速度を遅くしたい操作をした場合には、ユーザとしては現状の画像更新速度が早いと感じているのと同時に現表示中の画像をまだ見ておきたいという要求とも考えられるので、この遅くしたい操作の時は画像を更新しないようにする。
【００１６】
図６に示すように、ユーザが画像切換間隔をジョグクリックで変更するタイミングが図６（Ａ）に示されており、これは従来例で示したのと同じであるため、その説明を省略する。図６（Ｂ）で示すように、ユーザが１２．５秒後にジョグダイヤルを１クリックすると、待ち時間のタイムアップを待たずに画像をすぐに更新する。これにより待ち時間は２５秒となる。画２に変更されてから１０秒後に更に１クリックされると画像が切り換えられ待ち時間が２０秒となる。そして更に画３に切り換えられてから１０秒後に１クリックされるとすぐに画４に切り換えられ待ち時間が１５秒となる。さらに画４に切換から１０秒後に１クリックされると、すぐに画像が切り換えられ画５となり、待ち時間が１０秒となってそれ以降は１０秒間隔で画像が切り換えられるようになる。
【００１７】
図７はこの切換動作を再生方向の正・逆を含めてフローチャートで説明したものである。ステップ１０１でジョグダイヤルの入力があると、ステップ１０２でジョグが右方向に回されたか左方向に回されたか判断され、左方向のときはステップ１０３で再生方向が正方向か逆方向か判断される。逆方向の再生であればステップ１０４で画像の更新速度（切換速度）を早くするとともにステップ１０５で画像を更新して、変更処理を終了する。ステップ１０３で再生方向が正方向な場合、ステップ１０６で画像の更新速度を遅くして、変更処理を終了する。ステップ１０２でジョグが右方向であるとステップ１０７で再生方向が判断される。再生方向が逆方向であると、ステップ１０８で画像の更新速度を遅くし、ステップ１０７で再生方向が正方向であれば、ステップ１０９で画像の更新速度を早くするとともにステップ１１０で画像を更新して、変更処理を終了する。
【００１８】
なお、待機時間（画像更新時間）は、メインＣＰＵの中にあるメモリ（図示せず）に設けられており、時系列に再生することは単に正方向のみならず、時間的に逆方向（逆転）再生することも含まれる。また、入力映像としてカメラからの映像を例としたがこれに限定されるものではなく、記録媒体もハードディスクのみならず光ディスクや他のメモリーであってもよいのは言うまでもない。
【００１９】
【発明の効果】
画像切換間隔の動作を実施例のように行うことによって、画像更新速度が遅い場合、ユーザとしては、次の画に更新したいという要求に応えることが出来る。さらに、ユーザは画像更新時間調整を容易に変更することが出来、使い勝手のよい画像記録再生装置とすることが出来る。
【図面の簡単な説明】
【図１】従来例のハードディスクレコーダのフロント部分を表示した図である。
【図２】従来例のハードディスクレコーダとその周辺機器であるカメラ及びモニターを示したシステム構成図である。
【図３】従来例のハードディスク（４）に記録される際のデータ内容を示したである。
【図４】従来例の再生時の待ち時間変更を示したタイミングチャートである。
【図５】従来例の再生時の待ち時間変更を示したフローチャートである。
【図６】本実施例の画像切換間隔を変更する動作を示したタイムチャートである。
【図７】本実施例の画像切換間隔を変更する動作を示したフォローチャートである。
【符号の説明】
４：ハードディスク、６：メインＣＰＵ、７：サブマイコン、８：フロントスイッチ、５：ビデオエンコーダ
【図１】
2004165722.tif 000003
【図２】
2004165722.tif 000004
【図３】
2004165722.tif 000005
【図４】
2004165722.tif 000006
【図５】
2004165722.tif 000007
【図６】
2004165722.tif 000008
【図７】
2004165722.tif 000009